(57)【要約】【課題】旧畦の畦際に障害物等が存在しても、天場処理部が障害物等に当接せずに天場処理作業を可能にする。【解決手段】畦塗り機は、走行機体の前進動とともに旧畦の上部を切り崩す天場処理作業を行なう天場処理部２１を備える。天場処理部２１は、走行機体からの駆動力を受けて回転動する回転軸２２と、この外周に配置された複数の削土爪２７を有する。回転軸２２は直列に並べられた複数の回転軸部２３、２４を有し、回転軸部２３はシャーボルト３３を介してシャフト３１に着脱自在に連結され、回転軸部２４はシャーボルト３３’を介して回転軸部２３に着脱自在に連結される。天場処理部２１は削土爪２７を備えた回転軸２２を覆うカバー部材を有し、カバー部材は回転軸部２３、２４毎に分割可能な複数の第１カバー部及び第２カバー部を有す。第２カバー部は端部にフランジを形成し、このフランジが第１カバー部のフランジに着脱自在に締結される。【選択図】  図４
2005006517.tif 000002
【特許請求の範囲】
【請求項１】
走行機体に装着され、該走行機体の走行位置に対して側方にオフセットした位置に配置され、前記走行機体の前進動とともに旧畦の上部を切り崩す天場処理作業を行なう天場処理部を備えた畦塗り機であって、
前記天場処理部は、
前記畦塗り機に回転自在に支持されて前記走行機体からの駆動力を受けて回転動する回転軸と、
該回転軸の外周に該回転軸の延びる方向に所定間隔を有して配置された複数の削土爪を有し、
前記回転軸は、直列に並べられた複数の回転軸部を有して形成され、
隣接する回転軸部は、互いに着脱自在に連結可能であることを特徴とする畦塗り機。
【請求項２】
前記回転軸部は、前記走行機体からの駆動力を該回転軸部に伝達する伝達軸及び隣接する他の回転軸部の少なくともいずれかとの間において、所定の剪断力を受けると破断するシャーボルトを介して連結されることを特徴とする請求項１に記載の畦塗り機。
【請求項３】
前記回転軸部は、端部にフランジを有し、
前記回転軸部の前記フランジは、隣接する他の回転軸部のフランジと結合されて、前記回転軸部は隣接する他の回転軸部に連結されることを特徴とする請求項１に記載の畦塗り機。
【請求項４】
前記天場処理部は、前記畦塗り機に支持されて前記回転軸を覆うカバー部材を有し、
該カバー部材は、前記回転軸を形成する回転軸部毎に分割可能な複数のカバー部を有し、
該カバー部は、隣接する他のカバー部と着脱自在に連結可能であることを特徴とする請求項１から３のいずれかに記載の畦塗り機。
【発明の詳細な説明】
【０００１】
【発明の属する技術分野】
本発明は、畦塗り機に関し、特に、走行機体の前進動とともに旧畦の上部を切り崩す天場処理作業を行なう天場処理部を備えた畦塗り機に関する。
【０００２】
【従来の技術】
このような畦塗り機は、走行機体に装着され、走行機体の走行位置に対して側方にオフセットした位置に配置され、圃場の周辺に沿って形成された旧畦の上部を切り崩す天場処理部、切り崩した土の土盛りを行なう前処理部及び盛られた土を切り崩された旧畦上に塗り付ける整畦部を備え、走行機体の前進動とともに畦塗り作業を行なう。
【０００３】
天場処理部は、回転動自在に支持された回転軸に軸方向に所定間隔を有して配設されて放射状に延びる複数の削土爪を有する。この削土爪の回転動により旧畦の上部が切り崩される。
【０００４】
この削土爪により切り崩される旧畦の天場には、石等の塊体が存在する場合がある。このような場合、回転動する削土爪が塊体に当接すると、削土爪が損傷する虞が生じる。そこで、削土爪が塊体に当接したときに、削土爪を備えた回転軸を上方へ移動させるように構成されたものが知られている（特許文献１参照）。この天場処理部によれば、削土爪が塊体に当接すると、回転軸が上方へ移動して削土爪が塊体を乗り越える。
【０００５】
【特許文献１】
特開２０００−８３４０７号公報（第１０頁、第２図）
【０００６】
【発明が解決しようとする課題】
しかしながら、従来の畦塗り機では、天場処理部の回転軸の長さは不変であるので、天場処理される旧畦の天場幅方向の長さ調整を行なうことができない。このため、旧畦の畦際に、庭木や石等の障害物や家屋の塀がある場合、走行機体の前進動に応じて天場処理部が旧畦の天場に沿って移動すると、天場処理部の回転軸や削土爪が障害物や塀に当接して、天場処理部が損傷する虞があるという問題が生じる。
【０００７】
本発明は、このような問題に鑑みてなされたものであり、天場処理される旧畦の畦際に障害物等が有るときに、天場処理部が損傷する虞がなく天場処理作業を可能にする畦塗り機を提供することを目的とする。
【０００８】
【課題を解決するための手段】
上記目的を達成するために本発明に係わる畦塗り機は、走行機体に装着され、該走行機体の走行位置に対して側方にオフセットした位置に配置され、走行機体の前進動とともに旧畦の上部を切り崩す天場処理作業を行なう天場処理部を備えた畦塗り機であって、天場処理部は、畦塗り機に回転自在に支持されて走行機体からの駆動力を受けて回転動する回転軸と、該回転軸の外周に該回転軸の延びる方向に所定間隔を有して配置された複数の削土爪を有し、回転軸は、直列に並べられた複数の回転軸部を有して形成され、隣接する回転軸部は、互いに着脱自在に連結可能である。
【０００９】
上記構成の畦塗り機によれば、回転軸は直列に並べられた複数の回転軸部を有してなり、隣接する回転軸部は互いに着脱自在に連結可能にすることで、天場処理される旧畦の天場幅方向の処理長さを調整することができる。このため、旧畦の畦際に障害物がある場合、天場処理部が障害物に当接しないように回転軸の長さを調整することで、天場処理部が障害物に当接することなく、旧畦の天場処理作業を行なうことができる。
【００１０】
上記構成の畦塗り機において、回転軸部は、走行機体からの駆動力を該回転軸部に伝達する伝達軸（例えば、実施形態におけるシャフト３１）及び隣接する他の回転軸部の少なくともいずれかとの間において、所定の剪断力を受けると破断するシャーボルトを介して連結されるようにしてもよい。
【００１１】
上記構成の畦塗り機によれば、回転軸部は、走行機体からの駆動力を該回転軸部に伝達する伝達軸及び隣接する他の回転軸部の少なくともいずれかとの間において、シャーボルトを介して連結することで、シャーボルトを介して連結される２つの回転軸部のいずれかの削土爪に衝撃荷重が作用すると、シャーボルトが破断して衝撃荷重が作用した削土爪を備えた回転軸部とこれに連結されていた伝動軸又は他の回転軸部との連結状態が解除される。このため、衝撃荷重が作用した削土爪を備えた回転軸部の回動がフリーな状態となり、削土爪が大きく損傷したり、他の回転軸部や伝達軸等に大きな負荷が作用したりする事態を未然に防止することができる。
【００１２】
上記構成の畦塗り機において、回転軸部は端部にフランジを有し、回転軸部のフランジは隣接する他の回転軸部のフランジと結合されて、回転軸部は隣接する他の回転軸部に連結されてもよい。
【００１３】
上記構成の畦塗り機によれば、隣接する回転軸部はこれらに形成されたフランジを介して連結することで、隣接する回転軸部の連結作業や分離作業を容易に行なうことができる。
【００１４】
上記構成の畦塗り機において、天場処理部は、畦塗り機に支持されて回転軸を覆うカバー部材を有し、該カバー部材は、回転軸を形成する回転軸部毎に分割可能な複数のカバー部（例えば、実施の形態における第１カバー部４１、第２カバー部４５）を有し、該カバー部は、隣接する他のカバー部と着脱自在に連結可能であってもよい。
【００１５】
上記構成の畦塗り機によれば、回転軸を覆うカバー部材は、回転軸を形成する回転軸部毎に分割可能な複数のカバー部を有し、カバー部は隣接する他のカバー部と着脱自在に連結可能にすることで、回転軸の長さに応じてカバー部材の長さ調整を行なうことができる。
【００１６】
【発明の実施の形態】
以下、本発明の好ましい実施の形態を図１から図８に基づいて説明する。なお、説明の都合上、図１（斜視図）に示す矢印の方向を前後方向及び左右方向として以下説明する。
【００１７】
本発明に係わる畦塗り機１は、図３（側面図）に示すように、走行機体７５の後部に設けられた三点リンク連結機構７６に連結されて、走行機体７５の前進動に応じて畦塗り作業を行なうものである。畦塗り機１は、図１に示すように、左右方向に延びるヒッチフレーム３の前側に設けられた畦塗り機側連結装置７と、ヒッチフレーム３の中央部に前端側が回動自在に取り付けられて後端側が左右方向に旋回動可能なオフセットフレーム１０と、オフセットフレーム１０の後端部に左右方向に回動可能に連結された作業部２０を有してなる。
【００１８】
ヒッチフレーム３の左右方向の中央下部には、図３に示すように、ギアボックス４が設けられている。ギアボックス４の入力軸４ａには、走行機体７５のＰＴＯ軸（図示せず）から畦塗り機側連結装置７の伝動軸６を介して、動力が伝達される。オフセットフレーム１０は内部が中空な箱状部材であり、オフセットフレーム１０の後端部には上下方向に延びて回転動自在に支持された駆動軸１１が設けられている。この駆動軸１１は、ギアボックス４の入力軸４ａ及びオフセットフレーム１０内に配設されたチェーン伝動機構（図示せず）を介して走行機体７５からの駆動力が伝達されるように構成されている。
【００１９】
オフセットフレーム１０は、図２（平面図）に示すように、一端部がオフセットフレーム１０の後側上部に枢結されて他端部がヒッチフレーム３の上部に枢結された旋回シリンダ１２の伸縮動作により左右方向に旋回動可能である。
【００２０】
オフセットフレーム１０の後端下部には、図３に示すように、駆動軸１１の下部に連結されて下方へ延びる回動中心軸１３が設けられている。回動中心軸１３の外側には回動中心軸１３を覆う円筒状の回転軸ケース１４が配設され、その上端部はオフセットフレーム１０の後端下部に回動自在に接続されている。回転軸ケース１４は、図１に示すように、一端部がオフセットフレーム１０の側部に枢結されて他端部が回転軸ケース１４に枢結された回動シリンダ１５の伸縮動作により回動可能である。
【００２１】
回転軸ケース１４の下部には前述した作業部２０が取り付けられている。作業部２０は、圃場の周辺に沿って形成された旧畦の上部を切り崩す天場処理部２１と、切り崩した土の土盛りを行なう前処理部５１と、盛られた土を切り崩された旧畦上に塗り付ける整畦部６１を有してなる。
【００２２】
前処理部５１は、図３に示すように、前後方向に延びて回転動自在に支持された回転軸５２の外周に放射状に取り付けられた複数の耕耘爪５３を有する。前処理部５１にはこれを回転自在に支持する前処理動力伝達ケース５５が接続され、前処理動力伝達ケース５５の先端部は回転軸ケース１４に接続されている。前処理動力伝達ケース５５内には図示しない動力伝動機構が内蔵され、この伝動機構を介して回動中心軸１３の動力が前処理部５１に伝達されるようになっている。
【００２３】
整畦部６１は、左右方向に延びて回転動自在に支持された回転軸６２に取り付けられて内側に進むに従って径が拡開する多面体ドラム６３と、多面体ドラム６３の右側端部に取り付けられて横方向に延びる円筒部６４を有してなる。多面体ドラム６３は新畦の法面を形成し、円筒部６４は新畦の天場を形成する。整畦部６１には、図１に示すように、これを回転動自在に支持する整畦動力伝達ケース６５が接続される。整畦動力伝達ケース６５は、一端部が多面体ドラム６３の内部に延びて整畦部６１を回転動自在に支持し、他端部が回転軸ケース１４に接続されている。整畦動力伝達ケース６５内には図３に示す回動中心軸１３からの動力を整畦部６１に伝達可能な動力伝達機構が設けられている。
【００２４】
天場処理部２１は、図３に示すように、後述するカバー部材４０に回転動自在に支持されて走行機体７５からの駆動力を受けて回転動する回転軸２２と、回転軸２２の外周に軸方向に所定間隔を有して配置されて放射状に延びる複数の削土爪２７と、削土爪２７を備えた回転軸２２を覆うカバー部材４０を有してなる。カバー部材４０の左側端部には、図２に示すように、天場動力伝達ケース３０の一端部が接続され、天場動力伝達ケース３０の他端部は図１に示す回転軸ケース１４に接続される。天場動力伝達ケース３０内には図３に示す回動中心軸１３の駆動力を天場処理部２１に伝達可能な動力伝達機構が設けられている。
【００２５】
天場処理部２１の回転軸２２は、図４（断面図）に示すように、直列に並べられた複数の回転軸部２３、２４を有して形成される。隣接する回転軸部２３、２４は互いに着脱自在に連結可能である。回転軸部２３は内部を貫通する貫通孔２５が形成されて円筒状であり、貫通孔２５の左右両端部には嵌合孔２５ａ、２５ａ’が形成されている。回転軸部２３の左側に形成された嵌合孔２５ａには、図２に示す天場動力伝達ケース３０内の動力伝達機構を構成するシャフト３１の先端部が回転動自在に嵌合している。回転軸部２３は、シャフト３１との間において、所定の剪断力を受けると破断するシャーボルト３３を介して連結されている。シャーボルト３３は、回転軸部２３とこれに嵌合したシャフト３１を挿通し、回転軸部２３から突出したシャーボルト３３の先端部にナット３４が螺合して、シャーボルト３３が回転軸部２３に取り付けられている。シャーボルト３３の外周には、軸方向に所定間隔を有して配置された環状の凹溝３３ａが形成されている。この凹溝３３ａは、シャーボルト３３が回転軸部２３及びシャフト３１に挿着されると、嵌合孔２５ａの内面の内側近傍位置に配置される。従って、シャーボルト３３が回転軸部２３及びシャフト３１に挿着された状態でシャーボルト３３に所定の剪断力が作用すると、凹溝３３ａを形成する部分が破断して回転軸部２３のシャフト３１への結合状態が解除され、回転軸部２３はシャフト３１に対して回転動がフリーな状態になる。
【００２６】
シャーボルト３３が挿着された回転軸部２３よりも左側の回転軸部２３の端部には、回転軸部２３がシャフト３１から抜脱されるのを規制するストッパねじ３５が螺合している。ストッパねじ３５は、回転軸部２３に螺合した状態でその先端部が嵌合孔２５ａ内に突出するとともに、シャフト３１の先端部に形成された環状の凹溝３１ａ内に突出する。このため、シャーボルト３３が破断して回転軸部２３がシャフト３１に対して回転動自在な状態になっても、回転軸部２３がシャフト３１から抜脱されることはない。
【００２７】
回転軸部２３の右側に配置された他の回転軸部２４も、シャーボルト３３’を介して回転軸部２４に着脱自在に連結されている。回転軸部２４は、前述した回転軸部２３と略同様の構成であり、内部には貫通孔２５が形成され、貫通孔２５の左側端部には嵌合孔２５ａが形成される。この嵌合孔２５ａには連結軸３６の右側が嵌合した状態で固着されている。連結軸３６の左側は他の回転軸部２４の左側端部から突出して回転軸部２３の右側の嵌合孔２５ａ’内に回転動自在に嵌合している。即ち、連結軸３６の嵌合孔２５ａ’への嵌合状態は、前述した回転軸部２３の左側の嵌合孔２５ａに嵌合するシャフト３１のそれと同様の関係にある。回転軸部２３の右側端部に嵌合した連結軸部３６には、シャーボルト３３’が挿着されている。シャーボルト３３’の挿着方法及びシャーボルト３３’の構造は前述したシャーボルト３３と同様であるので、シャーボルト３３’はシャーボルト３３に準じた符号を附してその説明を省略する。
【００２８】
このため、シャーボルト３３’が回転軸部２３及び連結部材３６に挿着された状態で、シャーボルト３３’に所定の剪断力が作用すると、シャーボルト３３’の凹溝３３ａを形成する部分が破断して、他の回転軸部２４の回転軸部２３への結合状態が解かれ、他の回転軸部２４は回転軸部２３に対して回転動がフリーの状態になる。なお、図４の場合には、回転軸２２は、２つの回転軸部２３、２４を有して構成された場合を示したが、３つ以上の回転軸部を有して構成されてもよい。
【００２９】
回転軸２２の外周には回転軸２２の軸方向に所定間隔を有して配置されて放射状に延びる複数の削土爪２７が設けられている。削土爪２７は、図５（側面図）に示すように、回転軸２２の外周に設けられた取付ボックス２６に基部２７ａが挿入された状態でボルト、ナット等の締結手段２８により取付ボックス２６に締結されている。削土爪２７は、基部２７ａの先端部に、矢印Ａが示す回転軸２２の回転方向後側に進むに従って回転軸２２の回転中心からの距離が漸次大きくなる曲線状の縦刃２７ｂを連続して形成し、縦刃２７ｂの先端に、回転軸２２の延びる方向のいずれか一方側に屈曲する横刃２７ｃを連続して形成してなる。このため、削土爪２７が矢印Ａ方向に回転動すると、縦刃２７ｂが旧畦の天場内に切り込み、横刃２７ｃが天場の土を崩して圃場内に移動させる。
【００３０】
削土爪２７が取り付けられた回転軸２２の上方には、図６（平面図）に示すように、これらの上部を覆うカバー部材４０が配設されている。カバー部材４０は、回転軸２２を構成する回転軸部２３、２４毎に分割可能な第１カバー部４１及び第２カバー部４５を有する。第１カバー部４１は回転軸部２３の上部を覆い、第２カバー部４５は他の回転軸部２４の上部を覆う。第１カバー部４１の左側端部は、図２に示す天場動力伝達ケース３０の先端部に取り付けられて天場動力伝達ケース３０に支持される。第１カバー部４１の右側端部の周縁には上方へ延びるフランジ４２が形成される。第２カバー部４５は左側が開口し、左側端部の周縁には、第１カバー部４１のフランジ４２に対向配置されてボルト・ナット等の締結手段４７によりフランジ４２に締結されるフランジ４６が形成されている。このため、第２カバー部４５は第１カバー部４１に対して着脱自在に連結可能である。
【００３１】
このように構成された畦塗り機１により畦塗り作業を行なうには、図７（平面図）に示すように、図３に示す走行機体７５の後部に畦塗り機１を装着し、畦塗り機１を圃場Ｂに移動させる。そして、オフセットフレーム１０を畦Ｕ側に旋回動させるとともに作業部２０を回動させて、天場処理部２１の回転軸２２が畦Ｕの延びる方向に対して直交する方向に配置する。そして、走行機体を駆動させて作業部２０を回転動させて、走行機体を前進動させる。走行機体が前進動すると、天場処理部２１は、旧畦Ｕｋの上部を切り崩して、切り崩した土を圃場Ｂ内に移す。
【００３２】
ここで、畦Ｕの外側の際に石等の障害物７０がある場合、天場処理部２１をそのまま前側に移動させると、天場処理部２１の図４に示す削土爪２７や第２カバー部材４５が障害物７０に当接して損傷する虞がある。このような場合には、図６に示す第２カバー部４５を第１カバー部４１から取り外すとともに、他の回転軸部２４を回転軸部２３から取り外して、天場処理部２１の天場幅方向側の長さを短くする。また、多面体ドラム６３の円筒部６４も接触する虞がある場合は、円筒部６４を短いものに交換するか、円筒部６４を延長方式にしておいて、円筒部６４の先端側を取り外して天場幅方向側の長さを短くする。従って、天場処理部２１は、障害物７０に当接することなく、旧畦の上部を切り崩す天場処理作業を行なうことができ、天場処理部２１が障害物７０に当接して損傷する事態を未然に防止することができる。
【００３３】
また、天場処理部２１により旧畦の天場処理作業が行なわれているときに、回転動する天場処理部２１の図４に示す削土爪２７が旧畦内にある塊体等に当接して、削土爪２７に衝撃荷重が作用すると、図４に示すように、この衝撃荷重が作用した削土爪２７を備えた回転軸部２３又は回転軸部２４を介して、シャーボルト３３又はシャーボルト３３’に伝わって、シャーボルト３３又はシャーボルト３３’が破断する。このため、回転軸部２３又は回転軸部２４は連結状態が解除されて回転動がフリーの状態になり、削土爪２７にさらに大きな荷重が作用して、削土爪２７が損傷する事態を未然に防止することができる。また、回転軸２２に繋がる動力伝達シャフト３１等の動力伝達機構に大きな負荷が作用する事態を防止して、動力伝達機構の損傷を未然に防止することができる。
【００３４】
なお、回転軸部２３、２４の連結方法は、図８（断面図）に示すように、回転軸部２３の右側端部にフランジ２３ａを形成し、隣接する他の回転軸部２４の左側端部にもフランジ２４ａを形成し、これらのフランジ２３ａ、２４ａを対向配置して、これらをボルト・ナット等の締結手段２８により締結して、回転軸部２３を他の回転軸部２４に連結してもよい。また、回転軸部２３のシャフト３１への連結方法は、シャフト３１の右側端部にフランジ３１ｂを形成し、このフランジ３１ｂを回転軸部２３のフランジ２３ａに対向配置して締結手段２８により締結して、回転軸部２３をシャフト３１に連結する。このようにフランジ２３ａ、２４ａを介して回転軸部２３を他の回転軸部２４及びシャフフト３１に連結することで、回転軸部２３、２４の着脱作業を容易に行なうことができる。
【００３５】
【発明の効果】
以上説明したように、本発明に係わる畦塗り機によれば、回転軸は直列に並べられた複数の回転軸部を有してなり、隣接する回転軸部は互いに着脱自在に連結可能にすることで、天場処理される旧畦の天場幅方向の処理長さを調整することができる。このため、旧畦の畦際に障害物がある場合、天場処理部が障害物に当接しないように回転軸の長さを調整することで、天場処理部が障害物に当接することなく、旧畦の天場処理作業を行なうことができる。
【図面の簡単な説明】
【図１】本発明の一実施の形態に係わる畦塗り機の斜視図を示す。
【図２】この畦塗り機の平面図を示す。
【図３】この畦塗り機の側面図を示す。
【図４】図２のＩＩ−ＩＩ矢視に相当する天場処理部の断面図を示す。
【図５】この天場処理部の右側の側面図を示す。
【図６】この天場処理部に設けられたカバー部材の平面図を示す。
【図７】畦塗り作業時における畦塗り機の平面図を示す。
【図８】図２のＩＩ−ＩＩ矢視に相当する天場処理部の断面図を示す。
【符号の説明】
１  畦塗り機
２１  天場処理部
２２  回転軸
２３、２４  回転軸部
２３ａ、２４ａ  フランジ
２７  削土爪
３１  シャフト（伝達軸）
３３、３３’  シャーボルト
４０  カバー部材
４１  第１カバー部材（カバー部材）
４５  第２カバー部材（カバー部材）
７５  走行機体
Ｕｔ  旧畦
【図１】
2005006517.tif 000003
【図２】
2005006517.tif 000004
【図３】
2005006517.tif 000005
【図４】
2005006517.tif 000006
【図５】
2005006517.tif 000007
【図６】
2005006517.tif 000008
【図７】
2005006517.tif 000009
【図８】
2005006517.tif 000010